(57)【要約】【課題】  固定側支持部材から延び出た複数本の線材によって可動側レンズホルダーが片持ち状に支えられているアクチュエータを備えた光ピックアップにおいて、線材の共振を抑制するためのダンパー材の前面形状のばらつきが抑えて各線材のばね定数を一定に保つ。【解決手段】  線材６が、固定側支持部材２に具備された空間７に装填されているダンパー材８の層内を挿通している。空間７が溝形空所によって形作られ、その溝形空所の前部に、溝形面７１と柱状部７６とによって囲まれた開口７７が備わっている。空間７に装填されているダンパー材８を開口７７内で溝形面７１と柱状部７６とに密着させている。【選択図】        図１
2005317086.tif 000002
【特許請求の範囲】
【請求項１】
固定側支持部材に一端部が固定された弾性を有する複数本の線材の他端部が、対物レンズを備えた可動側レンズホルダーに固定され、それらの線材が、上記固定側支持部材に具備された空間に装填されているダンパー材の層内を挿通して配備されているアクチュエータを備えた光ピックアップにおいて、
上記空間が、上記固定側支持部材の側面に形成されて前後方向に延びる溝形空所によって形作られ、その溝形空所の前部に、溝形空所を形成している溝形面とその溝形面の前端部の外側部分を縦通する柱状部とによって囲まれた開口が備わり、上記アクチュエータの左右両側に同一本数ずつの上記線材が対称に配備されていて、アクチュエータの同一の側に配備されている複数本の線材が、１つの上記溝形空所に装填されたダンパー材の層内を挿通していると共に、上記溝形空所が、上記柱状部の後方箇所にその柱状部に対し間隔を隔てて設けられた仕切り壁によって各線材ごとの小室に仕切られ、
上記空間に装填されている上記ダンパー材を上記開口内で上記溝形面と上記柱状部とに密着させていると共に、そのダンパー材の層が上記柱状部と上記仕切り壁との間に形成される縦通空間とそれぞれの上記小室とに亘って連続していることを特徴とする光ピックアップ。
【請求項２】
固定側支持部材に一端部が固定された弾性を有する複数本の線材の他端部が、対物レンズを備えた可動側レンズホルダーに固定され、それらの線材が、上記固定側支持部材に具備された空間に装填されているダンパー材の層内を挿通して配備されているアクチュエータを備えた光ピックアップにおいて、
上記空間が、上記固定側支持部材の側面に形成されて前後方向に延びる溝形空所によって形作られ、その溝形空所の前部に、溝形空所を形成している溝形面とその溝形面の前端部の外側部分を縦通する柱状部とによって囲まれた開口が備わっていて、上記空間に装填されている上記ダンパー材を、上記開口内で上記溝形面と上記柱状部とに密着させていることを特徴とする光ピックアップ。
【請求項３】
上記アクチュエータの左右両側に同一本数ずつの上記線材が対称に配備されていて、アクチュエータの同一の側に配備されている複数本の線材が、１つの上記溝形空所に装填されたダンパー材の層内を挿通している請求項２に記載した光ピックアップ。
【請求項４】
上記溝形空所が、上記柱状部の後方箇所にその柱状部に対し間隔を隔てて設けられた仕切り壁によって各線材ごとの小室に仕切られている請求項３に記載した光ピックアップ。
【発明の詳細な説明】
【技術分野】
【０００１】
本発明は、光ディスクドライブに搭載される光ピックアップ、詳しくは、固定側支持部材から延び出た弾性を有する線材によって、対物レンズを備える可動側レンズホルダーが片持ち状態で変位可能に支持されているアクチュエータを備えた光ピックアップに関する。
【背景技術】
【０００２】
光ディスクドライブに搭載される光ピックアップは、レーザ光を記録媒体としてのディスク面に集光させてデータの書込みや読取りを行うことに用いられ、ディスクの回転中の面振れや偏心に応じて対物レンズの位置をフォーカス方向又はトラッキング方向に調整する機能を備えている。
【０００３】
図４には従来の光ピックアップに採用されているアクチュエータ１を概略で示してある。同図のアクチュエータ１は、ディスクの半径方向に走行駆動される基台（不図示）に搭載されるものであって、その基台に固定される固定側支持部材２と、対物レンズ３１を備える可動側レンズホルダー３と、固定側支持部材２の後端面に固着された配線基板４と、可動側レンズホルダー３の左右方向に位置する両側面のそれぞれに固着された配線基板でなる端子板５，５と、アクチュエータ１の左右両側に同一本数ずつ配備された弾性を有する導電性線材６…とを備えているほか、可動側レンズホルダー３には、フォーカス方向Ｆ又はトラッキング方向Ｔの付勢力を発揮させるための複数のコイル（不図示）などが装備されていて、上記端子板５のパターンにはそれらのコイルの末端が接続されている。また、上記した複数本の線材６…と端子板５とは、アクチュエータ１の左右両側に対称に配備されていて、線材６は図例のように片側３本の場合や、図示していないけれども片側２本の場合などがある。そして、線材６の一端部６１が配線基板４のランドに半田付けされて固定され、その他端部６２が端子板５のランドに半田付けされて固定されていることによって、可動側レンズホルダー３が複数本の線材６…を介し固定側支持部材２に対して変位可能に片持ち状に支持されている。４１，５１は半田を示している。また、固定側支持部材２の左右方向に位置するそれぞれの側面の複数箇所に同一容積の空間７が具備されている。これらの空間７は個々の線材６に個別に対応して上下３段に亘って形成されていて、それぞれの個別の空間７に装填されたダンパー材（図４で不図示）のそれぞれの層内を上記線材６が１本ずつ挿通している。
【０００４】
図４のアクチュエータ１において、配線基板４のパターンに電流を流すと、配線基板４、線材６、端子板５を経て上記コイルに通電され、そのコイルがフォーカス方向又はトラッキング方向の付勢力を生起して可動側レンズホルダー５が対物レンズ３１と共にフォーカス方向Ｆ又はトラッキング方向Ｔに変位駆動される。
【０００５】
図５は固定側支持部材２の要部を拡大して示した横断平面図である。同図において、８は空間７（図４参照）に装填されたダンパー材であり、このダンパー材８の層内を上記線材６が挿通している。このダンパー材８は光硬化型や熱硬化型などのゲル状物質でなり、可動側レンズホルダー３が線材６の撓み変形を伴って変位駆動されるときの線材６の一次共振を抑制する作用を発揮する。
【０００６】
図４に示したそれぞれの線材６ごとに対応して独立して設けられている個々の空間７は、正面視コ字形又は略コ字形に形成された溝形面７１によって囲まれた溝形空所によって形成されていて、その溝形空所（すなわち空間７）の全体が固定側支持部材２の前面、後面及び側面で開放されている。
【０００７】
一方、従来より、対物レンズなどの光学素子を支持する保持部材を板ばね状の支持バネによって支持させた光学系支持装置において、支持バネの端部近傍に一体に設けた保持部にゲル状のダンピング材を塗布しておくことによって、その光学系支持装置の制御特性を安定させる技術が知られている（たとえば、特許文献１参照）。また、光学系支持装置において、レンズホルダーを支えている金属弾性部材の一端を固定部材に設けた第１空間領域に接着剤で固定した上で、その第１空間領域に隣接する第２空間領域にゲル状弾性体を充填するという手順を踏むことによって、第２空間領域からのゲル状弾性体の流出を防ぐ技術が提案されている（たとえば、特許文献２参照）。
【特許文献１】特開平６−３１４４３２号公報
【特許文献２】特開２００２−３５２４５１号公報
【発明の開示】
【発明が解決しようとする課題】
【０００８】
上記したように、図４を参照して説明した従来例では、ダンパー材８を保持する空間７が溝形面７１によって囲まれた溝形空所によって形成されていて、その空間７の全体が固定側支持部材２の前面、後面及び側面で開放されている。そのため、それらの開放箇所を利用して一定量のダンパー材８をそれぞれの空間７に装填した場合に、それらの各開放箇所に露呈するゲル状のダンパー材８の表面形状が各空間７内で一様になりにくく、それぞれの空間７の各開放箇所でのダンパー材８の表面形状が異なってしまうという事態を生じることがあった。たとえば、固定側支持部材２の左右方向片側に位置している各空間７の開放箇所でのダンパー材８の表面形状が相違したり、固定側支持部材２の左右方向片側と他側とに位置している各空間７の開放箇所でのダンパー材８の表面形状が相違していたりする。
【０００９】
そして、そのようなダンパー材８の表面形状の相違がそれぞの空間７の前面側の開放箇所で発生した場合には、その線材６が挿通しているダンパー材８の前面から図４に示した線材６の他端部６２の端子板５との半田付け箇所に至るまでの線材長さ（線材の有効長さ）が各線材６について相違することになってしまうので、アクチュエータ１に与える個々の線材６のばね定数に差異が生じ、そのことが線材６の一次共振周波数や所謂ＤＣ感度のばらつきを生じる原因になってアクチュエータ１に要求される特性の安定性を得にくくなることが判っている。
【００１０】
図５には、図４で説明した従来のアクチュエータ１の固定側支持部材２の空間７に装填されたゲル状のダンパー材８の表面形状を例示してあり、この事例では、空間７の前面側開放箇所イでゲル状のダンパー材８の前面８１が、溝形面７１の奥壁（溝底面）から遠ざかるほど後方に位置するような湾曲形状になっている。この場合において、それぞれの空間７の各前面側開放箇所イでのゲル状のダンパー材８の前面８１の表面形状が同一の湾曲形状になっていれば、上記した線材６の有効長さが各線材６で同一になって各線材６の一次共振周波数や所謂ＤＣ感度のばらつきを生じにくいのであるけれども、異なる空間７に装填されているゲル状のダンパー材８の前面８１の表面形状が同一でない湾曲形状になっている場合には、ダンパー材８の前面８１とそのダンパー材８を挿通している線材６との交差箇所の位置が線材６ごとに相違するので線材６の有効長さが線材６ごとに異なって各線材６のばね定数が相違し、線材６の一次共振周波数やＤＣ感度にばらつきが生じてアクチュエータ１の特性が不安定になり、そのことが光ピックアップの書込み読取り性能の安定性の低下につながるおそれがある。
【００１１】
この点に関し、特許文献１に記載されている技術は、ゲル状のダンピング材の保持箇所を支持バネ自体に具備させるというものであるに過ぎないので、この技術を、図４で説明した従来例のように固定側支持部材２に具備させた空間７にダンパー材８を装填するようになっているアクチュエータ１に適用することは困難であり、仮に適用できたとしてもダンパー材８の前面８１の表面形状のばらつきをなくすることには役立たない。
【００１２】
また、特許文献２に記載されている技術は、金属弾性部材の一端を固定部材に設けた第１空間領域に接着剤で固定した上で、その第１空間領域に隣接する第２空間領域にゲル状弾性体を充填するという手順を踏む、というものであるために、ゲル状弾性体の充填工程を行うのに先立って接着剤の塗布工程を行うことが余分に必要になって作業が煩わしくなるという問題がある。
【００１３】
本発明は以上の状況や問題に鑑みてなされたものであり、図４で説明した構成を基本とし、その構成にダンパー材の前面の表面形状にばらつきが生じることを抑制することのできる改良を加え、そうすることによってダンパー材の前面とそのダンパー材を挿通している線材との交差箇所の位置が各線材について一様になるようにして各線材の有効長さを可及的一定に定め、もって各線材についてのばね定数の相違による一次共振周波数やＤＣ感度のばらつきを抑制することのできるアクチュエータを備えた光ピックアップを提供することを目的とする。
【００１４】
また、本発明は、この目的を達成するための手段を、部品点数の増加を伴わずに提供することをも目的としている。
【課題を解決するための手段】
【００１５】
本発明に係る光ピックアップは、固定側支持部材に一端部が固定された弾性を有する複数本の線材の他端部が、対物レンズを備えた可動側レンズホルダーに固定され、それらの線材が、上記固定側支持部材に具備された空間に装填されているダンパー材の層内を挿通して配備されているアクチュエータを備えている。そして、上記空間が、上記固定側支持部材の側面に形成されて前後方向に延びる溝形空所によって形作られ、その溝形空所の前部に、溝形空所を形成している溝形面とその溝形面の前端部の外側部分を縦通する柱状部とによって囲まれた開口が備わっていて、上記空間に装填されている上記ダンパー材を、上記開口内で上記溝形面と上記柱状部とに密着させている。
【００１６】
この構成の光ピックアップのアクチュエータは、固定側支持部材に具備されている空間が溝形空所によって形作られていていて、その溝形空所の前部に、その溝形空所の溝形面と柱状部とによって囲まれた小さな開口が備わっているために、空間に装填されたダンパー材が、その表面張力などの性質により、溝形空所の前部の上記開口内で溝形面と柱状部とに密着することになってそのダンパー材の前面の形状が一様になる。そのため、ダンパー材の前面とそのダンパー材を挿通している線材との交差箇所の位置が各線材について一様になって各線材の有効長さが可及的一定に定まり、各線材についてのばね定数の相違による一次共振周波数やＤＣ感度のばらつきが抑制される。
【００１７】
本発明では、上記アクチュエータの左右両側に同一本数ずつの上記線材が対称に配備されていて、アクチュエータの同一の側に配備されている複数本の線材が、１つの上記溝形空所に装填されたダンパー材の層内を挿通していることが望ましい。これによれば、ダンパー材を装填するための空間をアクチュエータの左右両側に１つずつ具備させておけばよいので、従来例に比べて空間の数が減少してダンパー材の装填工程が削減される。そのために、アクチュエータの製作工程が簡略化される。それにもかかわらず、上記した柱状部を具備させたことに伴う作用によって、各線材についてのばね定数の相違による一次共振周波数やＤＣ感度のばらつきが抑制される。
【００１８】
本発明では、上記溝形空所が、上記柱状部の後方箇所にその柱状部に対し間隔を隔てて設けられた仕切り壁によって各線材ごとの小室に仕切られていることが望ましい。これによれば、ダンパー材が溝形空所でなる大きな空間に装填されるものであるにもかかわらず、装填されたダンパー材の一部が、仕切り壁に仕切られた各線材ごとの小室内で保持されるために、そのゲル状のダンパー材が空間から剥離して脱落するといった事態が防止される。
【００１９】
本発明に係る光ピックアップは、固定側支持部材に一端部が固定された弾性を有する複数本の線材の他端部が、対物レンズを備えた可動側レンズホルダーに固定され、それらの線材が、上記固定側支持部材に具備された空間に装填されているダンパー材の層内を挿通して配備されているアクチュエータを備えた光ピックアップにおいて、上記空間が、上記固定側支持部材の側面に形成されて前後方向に延びる溝形空所によって形作られ、その溝形空所の前部に、溝形空所を形成している溝形面とその溝形面の前端部の外側部分を縦通する柱状部とによって囲まれた開口が備わり、上記アクチュエータの左右両側に同一本数ずつの上記線材が対称に配備されていて、アクチュエータの同一の側に配備されている複数本の線材が、１つの上記溝形空所に装填されたダンパー材の層内を挿通していると共に、上記溝形空所が、上記柱状部の後方箇所にその柱状部に対し間隔を隔てて設けられた仕切り壁によって各線材ごとの小室に仕切られ、上記空間に装填されている上記ダンパー材を上記開口内で上記溝形面と上記柱状部とに密着させていると共に、そのダンパー材の層が上記柱状部と上記仕切り壁との間に形成される縦通空間とそれぞれの上記小室とに亘って連続している、という構成を採用することによっていっそう具体化される。この発明の作用などについては後述する実施形態を参照して詳細に説明する。
【発明の効果】
【００２０】
本発明によれば、図４で説明した構成を基本構成として、固定側支持部材の空間の形成箇所に柱状部を追加したり、その空間を１つにまとめて仕切り壁を追加したりするだけの簡単な対策を講じるだけで、空間に装填されたダンパー材の前面形状のばらつきが抑えられて複数本の線材の有効長さが可及的一定に定まるようになる。そのために、各線材についてのばね定数の相違による一次共振周波数やＤＣ感度のばらつきが抑制されて、光ピックアップの読取り書込み性能の安定性が向上する。
【００２１】
また、空間を形成している溝形空所が、仕切り壁によって小室に仕切られているものでは、その空間に装填されているゲル状のダンパー材が仕切り壁と噛み合ってアンカー作用を発揮するので、空間からのダンパー材の脱落などの不具合を生じるおそれがなくなり、アクチュエータの耐久性や性能安定性が向上する。
【発明を実施するための最良の形態】
【００２２】
図１は本発明に係る光ピックアップに採用されるアクチュエータ１の概略斜視図、図２は図１のＩＩ方向から見たアクチュエータ１の要部の拡大側面図、図３は固定側支持部材２の要部を拡大して示した横断平面図である。
【００２３】
図１のアクチュエータ１において、図４で説明したアクチュエータ１と異なる点は、固定側支持部材２の左右方向に位置する両側面のそれぞれに形成されている空間７の構成だけである。その他の事項、たとえば、アクチュエータ１の固定側支持部材２が、ディスクの半径方向に走行駆動される基台（不図示）に固定される点、可動側レンズホルダー３にフォーカス方向Ｆ又はトラッキング方向Ｔの付勢力を発揮させるための複数のコイル（不図示）などが装備され、端子板５のパターンにそれらのコイルの末端が接続されている点、線材６の一端部６１が配線基板４のランドに半田付けされて固定されている点、線材６の他端部６２が端子板５のランドに半田付けされて固定されている点などは図４で説明したところと同様である。したがって、図１のアクチュエータ１において、配線基板４のパターンに電流を流すと、配線基板４、複数本の線材６…、端子板５，５を経て上記コイルに通電されてコイルがフォーカス方向Ｆ又はトラッキング方向Ｔの付勢力を生起し、それによって可動側レンズホルダー５が対物レンズ３１と共に線材６…の変位を伴ってフォーカス方向Ｆ又はトラッキング方向Ｔに変位駆動される。
【００２４】
この実施形態において、固定側支持部材２の左右方向に位置する両側面のそれぞれに形成されている空間７は、固定側支持部材２の前後方向全幅に亘って延びる溝形面７１によって囲まれた溝形空所によって形作られていて、溝形面７１は、上面７２と下面７３と溝底面７４とによって正面視コ字形又は略コ字形に形成されている。この点は図４で説明したところと同様である。
【００２５】
図１〜図３のように、この実施形態では、上記空間７が、固定側支持部材２の左右方向に位置する両側面のそれぞれに１つずつ形成されていて、それらの空間７を形成している溝形空所の前部に、溝形空所を形成している溝形面７１とその溝形面７１の前端部の外側部分を縦通する柱状部７６とによって囲まれた開口７７を具備させてある。この空間７は図４で説明した固定側支持部材２の左右方向片側または他側にそれぞれ備わっている３つの空間７の最上段の空間７の上面から最下段の空間７の下面に至る垂直長さと同一の縦長さを有している。そのために上記開口７７が幅狭縦長形状に形成されている。そして、左右の空間７のそれぞれに、アクチュエータ１の左右両側に対称に配備された同一本数（図例では３本）ずつの線材６が配備されてそれらの線材６の一端部６１が配線基板４のランドに半田付けされて固定されている。また、それぞれの空間７の後半部が、柱状部７６に対し間隔を隔てて固定側支持部材２に設けられた仕切り壁７８，７９によって上下３段の小室Ｓ１，Ｓ２，Ｓ３に仕切られていて、それらの各小室Ｓ１，Ｓ２，Ｓ３に線材６が各別に配備されている。そして、アクチュエータ１の同一の側に配備されている複数本の線材６が、１つの溝形空所に装填された一塊のダンパー材８の層内を挿通している。ここで、１つの空間７に装填されているゲル状のダンパー材８は、上記開口７７内で図３のように溝形面７１と柱状部７６とに密着しており、しかも、そのダンパー材８の層が、柱状部７６と仕切り壁７８，７９との間に形成される縦通空間Ｓとそれぞれの小室Ｓ１，Ｓ２，Ｓ３とに亘って連続している。
【００２６】
１つの空間７にダンパー材８を装填する作業は１回の装填工程を行うだけで済む。そして、１つの空間７に装填されたダンパー材８は、その表面張力などのダンパー材８に備わっている性質により、開口７７内で溝壁面７１及び柱状部７６に密着するので、そのダンパー材８の前面８１の表面形状は、左右の空間１において同一又は略同一になり、その表面形状が左右の空間１において顕著に相違するという事態が起こらない。特に、開口７７は横幅が狭いために左右方向での形状はその縦方向のどの箇所でも同じ形状になる。このように、左右の空間１において、ダンパー材８の前面８１の表面形状が同一又は略同一になっていると、ダンパー材８の前面８１とそのダンパー材８を挿通している線材６との交差箇所の位置が各線材６について一様になってアクチュエータ１の左右方向片側に位置している各線材６の有効長さや、左右方向片側と他側とに位置している各線材６の有効長さが可及的一定に定まり、各線材６についてのばね定数の相違による一次共振周波数やＤＣ感度のばらつきが抑制される。
【００２７】
また、空間７内では、ダンパー材８の層が、縦通空間Ｓと小室Ｓ１，Ｓ２，Ｓ３とに連続して装填されていて、仕切り壁７８，７９と小室Ｓ１，Ｓ２，Ｓ３とに装填されているダンパー材８とが噛み合ってアンカー作用を発揮するので、空間７からのダンパー材８の脱落などの不具合を生じるおそれがない。
【００２８】
この実施形態では、アクチュエータ１の左右両側に３本ずつの線材６が対称に配備されているものを説明したけれども、線材の本数はこれに限定されない。また、空間７の後半部を仕切り壁７８，７９によって複数段の小室Ｓ１，Ｓ２，Ｓ３に仕切った例を説明したけれども、仕切り壁７８，７９を省略して、空間７の全体を、仕切り壁によって仕切られていない室として形成することも可能である。
【００２９】
さらに、図４で説明した固定側支持部材２の左右両側の３つずつの空間７のそれぞれに柱状部を具備させてそれらの各空間７に開口を形成し、その開口内で、各空間７に装填されたダンパー材を溝形面７１と柱状部とに密着させる構成とすることも可能である。
【図面の簡単な説明】
【００３０】
【図１】本発明に係る光ピックアップに採用されるアクチュエータの概略斜視図である。
【図２】図１のＩＩ方向から見たアクチュエータの要部の拡大側面図である。
【図３】固定側支持部材の要部を拡大して示した横断平面図である。
【図４】従来の光ピックアップに採用されるアクチュエータの概略斜視図である。
【図５】図４の固定側支持部材の要部を拡大して示した横断平面図である。
【符号の説明】
【００３１】
１  アクチュエータ
２  固定側支持部材
３  可動側レンズホルダー
６  線材
７  空間
８  ダンパー材
３１  対物レンズ
６１  線材の一端部
７１  溝形面
７６  柱状部
７７  開口
７８  仕切り壁
Ｓ  縦通空間
Ｓ１，Ｓ２，Ｓ３  小室
【図１】
2005317086.tif 000003
【図２】
2005317086.tif 000004
【図３】
2005317086.tif 000005
【図４】
2005317086.tif 000006
【図５】
2005317086.tif 000007